(57)【特許請求の範囲】
【請求項１】
浴槽の浴水を循環してろ過槽により浴水を浄化して浴槽に返送するようにした浴水浄化装置において、ろ過槽が、ろ過槽ケースと、ろ過槽ケースに着脱自在に内装される精密ろ過フィルタと、ろ過槽ケースに着脱自在に取付けられ且つ精密ろ過フィルタの上部に当接して精密ろ過フィルタを支持するろ過槽蓋と、精密ろ過フィルタの一次側と二次側とを仕切る仕切板とで構成してあることを特徴とする浴水浄化装置。
【発明の詳細な説明】
【０００１】
【発明の属する技術分野】
本発明は、家庭用浴槽、あるいは公共用浴槽内の浴水中の汚濁物質を精密ろ過フィルタにてろ過する循環式の浴水浄化装置に関するものである。
【０００２】
【従来の技術】
従来から、浴槽の浴水を循環してろ過槽により浴水を浄化して浴槽に返送するようにした浴水浄化装置が知られている。この浴水浄化装置に設けられるろ過槽２４内に精密ろ過フィルタ４を取付けるには、図８に示すように、ろ過槽ケース３０内に精密ろ過フィルタ４を入れ、この精密ろ過フィルタ４にねじ込み蓋４０を固着し、ねじ込み蓋４０を仕切板３２にねじ込んで精密ろ過フィルタ４をろ過槽ケース３０に取付け、また、ろ過槽蓋３１をろ過槽ケース３０に蓋閉めしてろ過槽ケース３０全体の蓋閉めを行っていた。そして、その後に、機器を動作開示させて浄化運転を行っていた。
【０００３】
しかして、上記のような従来例にあっては、精密ろ過フィルタ４、仕切板３２にねじ切りを施す必要があり、構造が複雑化していた。また、精密ろ過フィルタ４のセットのために２度のねじ込み作業を行う必要があり、操作性が悪いという問題があった。
【０００４】
【発明が解決しようとする課題】
本発明は上記の問題点に鑑みて発明したものであり、ろ過槽蓋により精密ろ過フィルタも同時に固定し、簡単な構成で、信頼性が高く、操作性の良好な浴水浄化装置を提供することを課題とするものである。
【０００５】
【課題を解決するための手段】
上記課題を解決するための本発明の浴水浄化装置は、浴槽１の浴水を循環してろ過槽２４により浴水を浄化して浴槽１に返送するようにした浴水浄化装置において、ろ過槽２４が、ろ過槽ケース３０と、ろ過槽ケース３０に着脱自在に内装される精密ろ過フィルタ４と、ろ過槽ケース３０に着脱自在に取付けられ且つろ過フィルタ４の上部に当接して精密ろ過フィルタ４を支持するろ過槽蓋３１と、精密ろ過フィルタ４の一次側と二次側とを仕切る仕切板３２とで構成してあることを特徴とするものである。このような構成とすることで、精密ろ過フィルタ４をセットするに当たっては、ろ過槽ケース３０内に精密ろ過フィルタ４を入れ、その後、ろ過槽蓋３１を取付けることで、ろ過槽蓋３１を精密ろ過フィルタ４に当接することで精密ろ過フィルタ４を支持して取付けるものである。
【０００６】
【発明の実施の形態】
以下、本発明の実施の形態を説明する。
【０００７】
図２に、本発明の浴水浄化装置の配管構成を示す。循環流路２の一端部が吸水口１５ａ、他端部が吐出口１５ｂとなり、この吸水口１５ａ、吐出口１５ｂはともに吸・吐水ユニット１５に設けてあり、吸・吐水ユニット１５は浴槽１内の浴水内に浸けてある。循環流路２には、上流側から下流側にかけて、順に、吸水口１５ａ、ポンプ３、第二開閉弁１７、第三開閉弁１８、ヒータ８、吐出口１５ｂを設けている。
【０００８】
循環流路２のポンプ３と第二開閉弁１７との間から副流路１１が分岐してあり、副流路１には上流側から下流側にかけて、順に、ろ過槽２４、第一開閉弁１６を設けている。
【０００９】
ろ過槽２４は図１に示すようにろ過槽ケース３０と、ろ過槽ケース３０内に着脱自在に内装される中空糸膜からなる精密ろ過フィルタ４と、ろ過槽ケース３０に着脱自在に取付けられ且つろ過フィルタ４の上部に当接して精密ろ過フィルタ４を支持するろ過槽蓋３１と、精密ろ過フィルタ４の一次側と二次側とを仕切る仕切板３２とで構成してある。ろ過槽ケース３０は上端部が開口しており、内部に支持段部３０ａが設けてある。精密ろ過フィルタ４の上部には図１、図７に示すように、精密ろ過フィルタ４の上部を束ねて固着した合成樹脂製等の筒状をした基部４ａが設けてあり、この基部４ａの下部にはＯリング４ｂを装着した仕切板はめ込み部４ｃとなっており、ドーナツ状をした仕切板３２の中央孔３２ｂを仕切板はめ込み部４ｃにはめ込むことで仕切板３２を精密ろ過フィルタ４の上部の基部４ａに水密的に取付けてある。基部４ａには下鍔部４ｄが設けてあり、仕切板３２をはめ込んだ場合に仕切板３２が上方に移動するのを下鍔部４ｄにより防止している。仕切板３２の外周部にはＯリング３２ａが取付けてある。ろ過槽蓋３１はろ過槽ケース３０の上端部の開口部に螺合により着脱自在に取付けられるもので、ろ過槽蓋３１の下面部には脚部３１ａが複数個環状に配置してあり、脚部３１ａ間が通水用開口部３１ｂとなっている。精密ろ過フィルタ４を取付けるに当たっては、ろ過槽ケース３０の上端部開口から精密ろ過フィルタ４を入れ、精密ろ過フィルタ４に取付けた仕切板３２の外端部を支持段部３０ａにはめ込み支持させるとともにＯリング３２ａにより仕切板３２とろ過槽ケース３０との水密を確保し、次に、ろ過槽ケース３０の上端部開口にろ過槽蓋３１の雄ねじ部３１ｃを螺合して取付けると共に、ろ過槽蓋３１の下面部に設けた脚部３１ａにより精密ろ過フィルタ４の上部に設けた筒状をした基部４ａの上端面部を当接することで押し付けて支持し、これによりろ過槽蓋３１をろ過槽ケース３０に螺合して取付けることで同時に精密ろ過フィルタ４を支持して取付けるものである。ここで、上記仕切板３２によりろ過槽ケース３０内において精密ろ過フィルタ４が一次側Ａと二次側Ｂとに仕切られるものである。なお、仕切板３２を基部４ａに設けるに当たっては、上記のようにして基部４ａに仕切板３２を取付けることで設けるもののみに限定されず、基部４ａに仕切板３２を一体に形成してあってもよい。
【００１０】
上記のようにしてろ過槽２４内に副流路１１を流通する浴水のろ過を行うための、中空糸膜からなる精密ろ過フィルタ４が内装されるのである。
【００１１】
またろ過槽２４には、精密ろ過フィルタ４の上流側に、流水吐水口を有する回転自在な洗浄用ノズル５を設けている。この洗浄用ノズル５は、モータの働きにより精密ろ過フィルタ４の上流側の外周を回転するように構成するものであり、また回転と同時に流水吐出口１０から浴水を精密ろ過フィルタ４の上流側の表面に吐出して精密ろ過フィルタ４を上流側において洗浄するようになっている。副流路１１の下流側の端部は吐出口１５ｂにおいて連通接続してある。
【００１２】
また循環流路２の第二開閉弁１７と第三開閉弁１８との間からは、第一補助流路１２を分岐して設けている。この第一補助流路１２には、上流側から下流側にかけて、順に第一切替弁２０、電解電極槽６、第四開閉弁１９を設けている。また第一切替弁２０と電解電極槽６とを、別の分岐流路１３にて接続し、この分岐流路１３に塩溶解槽７を設けている。ここで塩溶解槽７は、内部に塩化ナトリウムが収容されるものである。また第一補助流路１２の下流側の他端は副流路１１のろ過槽２４よりも上流側に連通接続している。ここで第一切替弁２０は、第一補助流路１２と分岐流路１３との分岐点において、第一補助流路１２の上流側、第一補助流路１２の下流側、分岐流路１３の下流側のそれぞれへの流通を開閉するものである。
【００１３】
上記の電解電極槽６は、容器内に一対の不溶性電極板からなる電極を、隔膜を介することなく対向配置した無隔膜タイプのものとして形成している。この容器内の水に、塩溶解槽７から供給された塩化ナトリウムが溶解している場合、一対の電極間に電圧を印加すると、塩化ナトリウムの電気分解により塩素（Ｃｌ２）や次亜塩素酸イオン（ＣｌＯ−）が発生し、洗浄殺菌水を生成することができるものである。
【００１４】
また上記のろ過槽２４には、精密ろ過フィルタ４の上流側において、第二補助流路２３の一端部を連通接続しており、この第二補助流路２３の他端部は、循環流路２の、ポンプ３よりも上流側に連通接続している。この第二補助流路２３からは排水流路１４を分岐して設けており、この第二補助流路２３と排水流路１４との分岐点には、第二切替弁２１を設けている。ここで第二切替弁２１は、第二補助流路２３と排水流路１４との分岐点において、第二補助流路２３のポンプ３側、第二補助流路２３のろ過槽２４側、排水流路１４の排水側のそれぞれへの流通を開閉するものである。
【００１５】
ここで、第一開閉弁１６、第二開閉弁１７、第三開閉弁１８、第四開閉弁１９、第一切替弁２０、第二切替弁２１のそれぞれのものは、電磁弁、電動弁等にて形成することができる。
【００１６】
またこの浴水浄化装置には入力操作部と制御回路からなる制御部の制御回路を、配管上のポンプ３、電解電極槽６、ヒータ８、各開閉弁１６、１７、１８、１９、各切替弁２０、２１、並びにろ過槽２４のモータに接続して、使用者が入力操作部に入力する指示内容に従って、制御回路が配管上のポンプ３、電解電極槽６、ヒータ８、各開閉弁１６、１７、１８、１９、各切替弁２０、２１、並びにろ過槽２４のモータの動作を制御するようにしたものである。
【００１７】
図３は上記の構成の本発明の浴水浄化装置において、浴水の浄化時における装置内の浴水の流れを矢印で示すと共に、第一開閉弁１６、第二開閉弁１７、第三開閉弁１８、第四開閉弁１９、第一切替弁２０、第二切替弁２１の各弁のうち、閉状態となっている箇所を黒く塗りつぶすことで明示したものである。図２に示すように、浴水の洗浄時においては、第一開閉弁１６を開状態、第二開閉弁１７を開状態、第三開閉弁１８を開状態、第四開閉弁１９を閉状態とするものであり、また第一切替弁２０においては第一補助流路１２の上流側を閉状態、第一補助流路１２の下流側を開状態、分岐流路１３の下流側を開状態とし、第二切替弁２１においては、第二補助流路２３のポンプ３側を開状態、第二補助流路２３のろ過槽２４側を閉状態、排水流路１４の排水側を閉状態とするものである。このときポンプ３を作動させると、吸・吐水口１５からポンプ３にて吸引された浴水は循環流路２を流れ、ヒータ８を通って加温されて、吐出口１５ｂに流れて浴槽１内に噴出して返送されるのであるが、この場合、循環流路２を流れる浴水の一部が副流路１１を流れ、ろ過槽２４内に設けられた中空糸膜からなる精密ろ過フィルタ４を通過する際に、浴水中の垢、微生物、微生物の代謝生産物等の懸濁物質や汚濁物質が除去された後、副流路１１の先端から吐出口１５ｂに流れて循環流路２を流れる加温された湯水と合流して浴槽１内に噴出して返送されるのである。ここで、浴水がろ過槽２４内において精密ろ過フィルタ４の一次側から二次側に通過する際の浴水の流れにつき説明すると、精密ろ過フィルタ４の一次側Ａから二次側Ｂに通過する際に、上記のように浴水中の垢、微生物、微生物の代謝生産物等の懸濁物質や汚濁物質が除去され、精密ろ過フィルタ４の二次側Ｂに流れた浄化後の浴水はろ過槽蓋３１の下面部の脚部３１ａ間の通水用開口部３１ｂを経て下流側に流れるものである。
【００１８】
なお、上記のように循環流路２から副流路１１を分岐し、循環流路２にヒータ８を設け、副流路１１にろ過槽１１を設けて２系統としたのは、ろ過槽１１に内装した精密ろ過フィルタ４の流量変化に対応して、ヒータ８による温度維持及び浴槽１内における浴水の撹拌のために一定の総循環流量を確保するためである。
【００１９】
また上記のように浴水の浄化を行いながら、電解電極槽６の一対の電極間に電圧を印加することにより、電解電極槽６内において洗浄殺菌水を生成することができるものである。このときは、あらかじめ電解電極槽６中に塩化ナトリウムが供給されている状態で、一定時間一定電圧を印加することにより、無隔膜電化槽中に洗浄殺菌水を生成させるものである。
【００２０】
図４は、ろ過槽２４の精密ろ過フィルタ４の物理的洗浄時における装置内の浴水の流れを矢印で示したものである。図４に示すように、精密ろ過フィルタ４の物理的洗浄時においては、第一開閉弁１６を閉状態、第二開閉弁１７を閉状態、第三開閉弁１８を閉状態、第四開閉弁１９を閉状態とするものであり、また第一切替弁２０においては第一補助流路１２の上流側を閉状態、第一補助流路１２の下流側を開状態、分岐流路１３の下流側を開状態とし、第二切替弁２１においては、第二補助流路２３のポンプ３側を開状態、第二補助流路２３のろ過槽２４側を開状態、排水流路１４の排水側を閉状態とするものである。またこのときろ過槽２４にも受けられた洗浄用ノズル５をモータにて回転させるものである。このときポンプ３、精密ろ過フィルタ４、及びろ過槽２４に備えられた洗浄用ノズル５を含む閉流路が形成され、浴水がこの閉流路を循環するものである。すなわち副流路１１を通ってろ過槽２４へ達した浴水は、回転する洗浄用ノズル５の流水吐出口１０から精密ろ過フィルタ４の表面に向けてまんべんなく吹きつけられ、水流の勢いにより精密ろ過フィルタ４表面の付着物を除去し、更に第二補助流路２３を通じて循環流路２のポンプ３よりも上流側に送られて、再びろ過槽２４へと送られる。このようにして一定時間精密ろ過フィルタ４の物理洗浄を行った後、図５に示すように、第二切替弁２１を、第二補助流路２３のポンプ３側を閉状態、第二補助流路２３のろ過槽２４側を開状態、排水流路１４の排水側を開状態とする。このようにすると、分離膜の物理洗浄に用いられ、懸濁物質や汚濁物質が混入した閉流路内の浴水が、排水流路１４を通じて装置外部へ排出されるものである。そしてこのようにして一定時間排水を行った後、各開閉弁１６、１７、１８、１９及び切替弁を図３に示す状態へ復帰させて、再び浴水の浄化を行うものである。
【００２１】
図６は、膜の殺菌洗浄時における装置内の浴水の流れを矢印で示したものである。精密ろ過フィルタ４の殺菌洗浄時においては、図３に示す状態で電解電極槽６にて殺菌洗浄水を生成した後、図６に示すように、第一開閉弁１６を開状態、第二開閉弁１７を開状態、第三開閉弁１８を開状態、第四開閉弁１９を開状態とするものであり、また第一切替弁２０においては第一補助流路１２の上流側を開状態、第一補助流路１２の下流側を閉状態、分岐流路１３の下流側を開状態とし、第二切替弁２１においては、第二補助流路２３のポンプ３側を開状態、第二補助流路２３のろ過槽２４側を閉状態、排水流路１４の排水側を開状態とするものである。このようにすると、図３に示す浴水の浄化時の流路に加えて、副流路１１から分岐して塩溶解槽７、電解電極槽６を順に通り、再び副流路１１の、ろ過槽２４よりも下流側に接続される流路が形成され、電解電極槽６にて生成された殺菌洗浄水が、分離膜を通過するようにするものであり、この殺菌洗浄水中の塩素（Ｃｌ２）、次亜塩素酸イオン（ＣｌＯ−）により、分離膜の付着物を分解すると共に、殺菌を行うものである。またこのとき同時に塩溶解槽７を通過して塩溶解槽７中の塩化ナトリウムが溶解した浴水が電解電極槽６に供給され、次回の分離膜の殺菌洗浄に用いるための殺菌洗浄水の生成に利用されるものである。そして続いて各開閉弁１６、１７、１８、１９及び各切替弁２０、２１を制御して図３に示す状態とし、再び浴水の浄化を行うものである。
【００２２】
【発明の効果】
上記のように本発明にあっては、浴槽の浴水を循環してろ過槽により浴水を浄化して浴槽に返送するようにした浴水浄化装置において、ろ過槽が、ろ過槽ケースと、ろ過槽ケースに着脱自在に内装される精密ろ過フィルタと、ろ過槽ケースに着脱自在に取付けられ且つ精密ろ過フィルタの上部に当接して精密ろ過フィルタを支持するろ過槽蓋と、精密ろ過フィルタの一次側と二次側とを仕切る仕切板とでなるので、精密ろ過フィルタをセットするに当たっては、ろ過槽ケース内に精密ろ過フィルタを入れ、その後、ろ過槽蓋を取付けることで、ろ過槽蓋を精密ろ過フィルタに当接することで精密ろ過フィルタを支持して取付けることができ、このように、ろ過槽蓋をろ過槽ケースに取付けることで同時に精密ろ過フィルタの取付けもでき、簡単な構成で、信頼性が高く、操作性が良好となるものである。
【図面の簡単な説明】
【図１】本発明の装置の全体正面図である。
【図２】同上の一例を示す概略図である。
【図３】同上の動作を示す概略図である
【図４】同上の他の動作を示す概略図である。
【図５】同上の更に他の動作を示す概略図である。
【図６】同上の更に他の動作を示す概略図である。
【図７】同上の精密ろ過フィルタ、ろ過槽蓋、仕切板を示す分解斜視図である。
【図８】従来例の装置の全体正面図である。
【符号の説明】
１  浴槽
４  精密ろ過フィルタ
２４  ろ過槽
３０  ろ過槽ケース
３１  ろ過槽蓋
３２  仕切板
【図１】
0003589043.tif 000002
【図２】
0003589043.tif 000003
【図３】
0003589043.tif 000004
【図４】
0003589043.tif 000005
【図５】
0003589043.tif 000006
【図６】
0003589043.tif 000007
【図７】
0003589043.tif 000008
【図８】
0003589043.tif 000009